(57)【要約】【課題】興趣性を高めることのできる携帯機器等を提供する。【解決手段】デジタルカメラ１のアルバムデータ記憶領域２９４には「○○タワー」用の第１画像ファイル格納領域Ｆ１と、「××ビル」用の第２画像ファイル格納領域Ｆ２とを形成する（Ａ）。ユーザはデジタルカメラ１を携帯して、第１チェックポイントである「○○タワー」で撮影し、第２チェックポイントである「××ビル」でも撮影する。これにより、アルバムデータ記憶領域２９４の第１画像ファイル格納領域Ｆ１と第２画像ファイル格納領域Ｆ２とに各々画像ファイルが格納されて（Ｂ）、アルバムデータＡＤが完成する。すると、デジタルカメラ１から、オリエンテーリングの主催者にアルバムデータＡＤを送信し（Ｃ）、主催者は当該ユーザがオリエンテーリングを適正に完走したか否かをチェックすることができる。【選択図】        図７
2005026768.tif 000002
【特許請求の範囲】
【請求項１】
撮像操作に伴って被写体を撮像する撮像手段と、
この撮像手段により撮像された被写体の画像データを所定数以内において順次記憶する記憶手段と、
この記憶手段に記憶された前記被写体の画像データの数が前記所定数となったか否かを判断する判断手段と、
この判断手段により前記画像データの数が所定数となったと判断されると、前記記憶手段に記憶されている画像データを送信する送信手段と
を備えることを特徴とする携帯機器。
【請求項２】
前記画像データの数は、指定地点を通過すべき競技における指定地点の数であることを特徴とする請求項１記載の携帯機器。
【請求項３】
撮像操作に伴って被写体を撮像する撮像手段と、
この撮像手段により撮像された被写体と予め定められた特定の位置に存在する被写体とを比較する比較手段と、
この比較手段による比較結果に基づき、前記両被写体に一致性がある場合に、予め設定されたＩＤデータを外部に送信する送信手段と
を備えることを特徴とする携帯機器。
【請求項４】
前記送信手段による前記ＩＤデータの送信に応答して外部から送信される応答データを受信する受信手段と、
この受信手段により受信された前記応答データを表示する表示手段と
を更に備えることを特徴とする請求項３記載の携帯機器。
【請求項５】
前記予め定められた特定の位置に存在する被写体を示す特定被写体情報を受信する比較情報受信手段を更に備え、
前記比較手段は、前記撮像手段により撮像された被写体と前記比較情報受信手段により受信された特被写体情報が示す被写体とを比較することを特徴とする請求項３又は４記載の携帯機器。
【請求項６】
前記応答データは、指定地点を通過すべき競技において前記ＩＤデータの送信回数に対応する指定地点の通過回数データであることを特徴とする請求項３又は４記載の携帯機器。
【請求項７】
前記応答データは、指定地点を通過すべき競技において前記ＩＤデータの送信回数に基づき算出された順位データであることを特徴とする請求項３又は４記載の携帯機器。
【請求項８】
撮像操作に伴って被写体を撮像する撮像手段と、データを外部に送信する送信手段とを備えた携帯機器が有するコンピュータを、
前記撮像手段により撮像された被写体の画像データを所定数以内において順次記憶手段に記憶させる記憶制御手段と、
前記記憶手段に記憶された前記被写体の画像データの数が前記所定数となったか否かを判断する判断手段と、
この判断手段により前記画像データの数が所定数となったと判断されると、前記記憶手段に記憶されている画像データを前記送信手段により送信させる送信制御手段と
して機能させることを特徴とする撮像・通信処理プログラム。
【請求項９】
撮像操作に伴って被写体を撮像する撮像手段と、データを外部に送信する送信手段とを備えた携帯機器が有するコンピュータを、
前記撮像手段により撮像された被写体と予め定められた特定の位置に存在する被写体とを比較する比較手段と、
この比較手段による比較結果に基づき、前記両被写体に一致性がある場合に、予め設定されたＩＤデータを送信する送信手段と
して機能させることを特徴とする撮像・通信処理プログラム。
【請求項１０】
相互に通信可能な携帯機器とサーバ装置とで構成されるデータ送受信システムであって、
前記携帯機器は、
撮像操作に伴って被写体を撮像する撮像手段と、
この撮像手段により撮像された被写体と予め定められた特定の位置に存在する被写体とを比較する比較手段と、
この比較手段による比較結果に基づき、前記両被写体に一致性がある場合に、予め設定されたＩＤデータを送信する送信手段と、
前記ＩＤデータの送信に応答して前記サーバ装置から送信された応答データを受信する受信手段と、
この受信手段により受信された前記応答データを表示させる表示制御手段とを更に備え、
前記サーバ装置は、
前記ＩＤデータを受信する受信手段と、
この受信手段によるＩＤデータの受信に対応する所定の応答データを生成する生成手段と、
この生成手段により生成された応答データを送信する送信手段と
を備えることを特徴とするデータ送受信システム。
【請求項１１】
携帯機器から送信されるＩＤデータを受信する受信手段と、
この受信手段による同一ＩＤデータの受信回数を計測する計測手段と、
この計測手段により計測された受信回数を、指定地点を通過すべき競技における指定地点の通過回数データとして送信する送信手段と
を備えることを特徴とするサーバ装置。
【請求項１２】
前記ＩＤデータの送信回数に基づき順次を算出する算出手段を更に備え、
前記送信手段は、前記順位を示す順位データを更に送信することを特徴とする請求項１１記載のサーバ装置。
【請求項１３】
サーバ装置が有するコンピュータを、
携帯機器から送信されるＩＤデータを受信手段に受信させる受信制御手段と、
前記受信手段による同一ＩＤデータの受信回数を計測する計測手段と、
この計測手段により計測された受信回数を、指定地点を通過すべき競技における指定地点の通過回数データとして送信手段により送信させる送信制御手段と
して機能させることを特徴とするサーバ制御プログラム。
【請求項１４】
更に前記ＩＤデータの送信回数に基づき順次を算出する算出手段として機能させ、
前記送信制御手段は、前記送信手段により前記順位を示す順位データを更に送信させることを特徴とする請求項１３記載のサーバ制御プログラム。
【発明の詳細な説明】
【０００１】
【発明の属する技術分野】
【０００２】
本発明は、撮像機能とデータ送受信機能とを備える携帯機器、撮像・通信処理プログラム、データ送受信システム、サーバ装置及びサーバ制御プログラムに関する。
【０００３】
【従来の技術】
【０００４】
従来、撮影位置情報を画像とともに記録可能なカメラ装置が提案されている。このカメラ装置は、撮像時に測距部で被写体との距離を計測して距離データを制御部に送る。また、方位計測部で被写体の方向を計測して方位データを制御部に送る。さらに、ＧＰＳ処理部は、撮影指示の直前にＧＰＳ衛星から送られてきた位置情報を基に測位を行い、測位結果を制御部に送出する。制御部は、取得したカメラと被写体との距離、被写体の方位及びカメラ位置を基に被写体の位置を算出し、撮影処理時にフラッシュメモリに保存記録される撮影画像に被写体の位置情報を対応付けて保存記録するものである（例えば、特許文献１参照。）。
【０００５】
【特許文献１】
特開２００１−１２８０５２号公報
【０００６】
【発明が解決しようとする課題】
【０００７】
しかしながら、前述したカメラ装置においては、カメラ内に撮影画像と被写体の位置情報とが保存記録されるに過ぎないものであることから、ユーザ以外の他人は当該カメラを携帯して外出したユーザが特定の位置に到達したか否かを知ることができない。したがって、例えばオリエンテーリングのように、山野等に設けた指定地点を発見・経由し、短時間に目的地に着くことを競うゲームにこのカメラ装置を用いることもできず、興趣性が得られるものではなかった。
【０００８】
本発明は、このような従来の課題に鑑みてなされたものであり、興趣性を高めることのできる携帯機器、撮像・通信処理プログラム、データ送受信システム、サーバ装置及びサーバ制御プログラムを提供することを目的とするものである。
【０００９】
【課題を解決するための手段】
【００１０】
前記課題を解決するために請求項１記載の発明に係る携帯機器にあっては、撮像操作に伴って被写体を撮像する撮像手段と、この撮像手段により撮像された被写体の画像データを所定数以内において順次記憶する記憶手段と、この記憶手段に記憶された前記被写体の画像データの数が前記所定数となったか否かを判断する判断手段と、この判断手段により前記画像データの数が所定数となったと判断されると、前記記憶手段に記憶されている画像データを送信する送信手段とを備える。
【００１１】
したがって、ユーザがこの携帯機器を携帯して、例えば予め指定された複数の地点を経由して各地点で撮像を行った所定数の画像からなるアルバムを作成する場合、記憶手段に記憶された画像データがアルバムを完成するための所定数となった時点で、アルバムを構成する画像データの送信がなされる。よって、オリエンテーリングのように、山野等に設けた指定地点を発見・経由し、短時間に目的地に着くことを競うゲームにおいて、前記アルバムを構成する画像データが送信されることにより、指定地点を通過したことを証明することができる。したがって、オリエンテーリングのように、山野等に設けた指定地点を発見・経由し、短時間に目的地に着くことを競うゲームにこの携帯機器を用いることができ、これにより、撮像及びデータ送受信機能を有する携帯機器の興趣性を向上させることができる。
【００１２】
また、請求項２記載の発明に係る携帯機器にあっては、前記画像データの数は、指定地点を通過すべき競技における指定地点の数である。したがって、当該数の画像データが送信されることにより、これを競技の管理者や主催者側で受信することにより、当該ユーザが完走できたか否かを判断することができる。
【００１３】
また、請求項３記載の発明に係る携帯機器にあっては、撮像操作に伴って被写体を撮像する撮像手段と、この撮像手段により撮像された被写体と予め定められた特定の位置に存在する被写体とを比較する比較手段と、この比較手段による比較結果に基づき、前記両被写体に一致性がある場合に、予め設定されたＩＤデータを外部に送信する送信手段とを備える。
【００１４】
したがって、ユーザはこの携帯機器を携帯して予め定められた特定の位置に存在する被写体まで実際に行き、該被写体を撮像した場合に、ＩＤデータの送信が可能となる。そして、ＩＤデータ受信する受信者はＩＤデータが送信されてきたか否か及び送信されてきた回数により、被写体が存在する複数の特定の位置にユーザが到達したか否かを知ることができる。
【００１５】
また、請求項４記載の発明に係る携帯機器にあっては、前記送信手段による前記ＩＤデータの送信に応答して外部から送信される応答データを受信する受信手段と、この受信手段により受信された前記応答データを表示する表示手段とを更に備える。したがって、携帯機器側においては、ＩＤデータの送信に応答して外部から送信される応答データを受信して表示させるので、例えば前記特定の地点を通過した回数や順位を表示させることもできる。
【００１６】
また、請求項５記載の発明に係る携帯機器にあっては、前記予め定められた特定の位置に存在する被写体を示す特定被写体情報を受信する比較情報受信手段を更に備え、前記比較手段は、前記撮像手段により撮像された被写体と前記比較情報受信手段により受信された特被写体情報が示す被写体とを比較する。したがって、携帯機器に予め特定被写体情報を記憶させておかずとも、前記比較を行うことができる。
【００１７】
また、請求項６記載の発明に係る携帯機器にあっては、前記応答データは、指定地点を通過すべき競技において前記ＩＤデータの送信回数に対応する指定地点の通過回数データである。したがって、携帯機器を携帯して前記競技に参加したユーザは、前記通過回数データに基づき、自己が指定地点を通過した回数を知ることが可能となる。
【００１８】
また、請求項７記載の発明に係る携帯機器にあっては、前記応答データは、指定地点を通過すべき競技において前記ＩＤデータの送信回数に基づき算出された順位データである。したがって、携帯機器を携帯して前記競技に参加したユーザは、前記順位データに基づき、当該競技における自己の順位を知ることが可能となる。
【００１９】
また、請求項８記載の発明に係る撮像・通信処理プログラムにあっては、撮像操作に伴って被写体を撮像する撮像手段と、データを外部に送信する送信手段とを備えた携帯機器が有するコンピュータを、前記撮像手段により撮像された被写体の画像データを所定数以内において順次記憶手段に記憶させる記憶制御手段と、前記記憶手段に記憶された前記被写体の画像データの数が前記所定数となったか否かを判断する判断手段と、この判断手段により前記画像データの数が所定数となったと判断されると、前記記憶手段に記憶されている画像データを前記送信手段により送信させる送信制御手段として機能させる。したがって、前記コンピュータがこのプログラムに従って処理を実行することにより、請求項１記載の発明と同様の作用効果を奏する。
【００２０】
また、請求項９記載の発明に係る撮像・通信処理プログラムにあっては、撮像操作に伴って被写体を撮像する撮像手段と、データを外部に送信する送信手段とを備えた携帯機器が有するコンピュータを、前記撮像手段により撮像された被写体と予め定められた特定の位置に存在する被写体とを比較する比較手段と、この比較手段による比較結果に基づき、前記両被写体に一致性がある場合に、予め設定されたＩＤデータを送信する送信手段として機能させる。したがって、前記コンピュータがこのプログラムに従って処理を実行することにより、請求項３記載の発明と同様の作用効果を奏する。
【００２１】
また、請求項１０記載の発明に係るデータ送受信システムにあっては、相互に通信可能な携帯機器とサーバ装置とで構成されるデータ送受信システムであって、前記携帯機器は、撮像操作に伴って被写体を撮像する撮像手段と、この撮像手段により撮像された被写体と予め定められた特定の位置に存在する被写体とを比較する比較手段と、この比較手段による比較結果に基づき、前記両被写体に一致性がある場合に、予め設定されたＩＤデータを送信する送信手段と、前記ＩＤデータの送信に応答して前記サーバ装置から送信された応答データを受信する受信手段と、この受信手段により受信された前記応答データを表示させる表示制御手段とを更に備え、前記サーバ装置は、前記ＩＤデータを受信する受信手段と、この受信手段によるＩＤデータの受信に対応する所定の応答データを生成する生成手段と、この生成手段により生成された応答データを送信する送信手段とを備える。
【００２２】
したがって、ユーザはこの携帯機器を携帯して予め定められた特定の位置に存在する被写体まで実際に行き、該被写体を撮像した場合に、ＩＤデータの送信が可能となる。そして、送信されたＩＤデータはサーバ装置により受信され、サーバー装置からはＩＤデータの送信に応答して応答データが送信され、この応答データが携帯機器により受信されて表示される。したがって、携帯機器とサーバ装置とにより、オリエンテーリングのように、山野等に設けた指定地点を発見・経由し、短時間に目的地に着くことを競うゲームシステムを構築して、携帯機器側で前記特定の地点を通過した回数や順位を表示させることができる。
【００２３】
また、請求項１１記載の発明に係るサーバ装置にあっては、携帯機器から送信されるＩＤデータを受信する受信手段と、この受信手段による同一ＩＤデータの受信回数を計測する計測手段と、この計測手段により計測された受信回数を、指定地点を通過すべき競技における指定地点の通過回数データとして送信する送信手段とを備える。したがって、前述したデータ送受信システム（ゲームシステム）におけるサーバ装置として機能することができ、携帯機器から送信されてきたＩＤデータに応答して通過回数データを送信することができる。
【００２４】
また、請求項１２記載の発明に係るサーバ装置にあっては、前記ＩＤデータの送信回数に基づき順次を算出する算出手段を更に備え、前記送信手段は、前記順位を示す順位データを更に送信する。したがって、前述したデータ送受信システム（ゲームシステム）におけるサーバ装置として機能することができ、携帯機器から送信されてきたＩＤデータに応答して順位データを送信することができる。
【００２５】
また、請求項１３記載の発明に係るサーバ制御プログラムにあっては、サーバ装置が有するコンピュータを、携帯機器から送信されるＩＤデータを受信手段に受信させる受信制御手段と、前記受信手段による同一ＩＤデータの受信回数を計測する計測手段と、この計測手段により計測された受信回数を、指定地点を通過すべき競技における指定地点の通過回数データとして送信手段により送信させる送信制御手段として機能させる。したがって、前記コンピュータがこのプログラムに従って処理を実行することにより、請求項１１記載の発明と同様の作用効果を奏する。
【００２６】
また、請求項１４記載の発明に係るサーバ制御プログラムにあっては、更に前記ＩＤデータの送信回数に基づき順次を算出する算出手段として機能させ、前記送信制御手段は、前記送信手段により前記順位を示す順位データを更に送信させる。したがって、前記コンピュータがこのプログラムに従って処理を実行することにより、請求項１２記載の発明と同様の作用効果を奏する。
【００２７】
【発明の実施の形態】
【００２８】
（第１の実施の形態）
【００２９】
以下、本発明の第１の実施の形態を図に従って説明する。図１は、本実施の形態に係る送受信システムの構成を示すブロック図である。図において、デジタルカメラ（携帯機器）１は、撮像機能とメール作成機能及び作成したメールを、システム（特に、後述するメールサーバ３３）介して相互に送受信するを備えている。無線基地局２、２は、デジタルカメラ１が加入する通信サービス事業者（インターネットプロバイダを含む）３に接続する。
【００３０】
通信サービス事業者（インターネットプロバイダを含む）３は、主なサービスとして提供しているメールサービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、デジタルカメラ１をＷＷＷ５に接続させるための機能も備えている。
【００３１】
通信回線網４は、アナログ回線、デジタル回線、広域ＬＡＮ、ＡＤＳＬ回線を含む、既知の通信回線網であり、ＷＷＷ５は所謂インターネットである。
【００３２】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ７は、一般家庭に存在するケースを示すためのものであり、通信回線網４、ＩＳＰ６を介して、ＷＷＷ５に接続したり、メールの送受信を行う機能を備えている。
【００３３】
図２は、デジタルカメラ１の構成を示すブロック図である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、パケット送信されたデータ（メールデータ）を、ＲＡＭ２９に出力する。また一方、送信の際には、送信するためのメールデータを変調するなどの無線通信に必要な処理をする。制御部２２は、各種動作及び全体の動作を制御する。
【００３４】
キー操作部１４には、電源スイッチキー、シャッターキー、文字入力キー、テンキー、各種機能キー（メールキー、アドレスキー、ファンクションキー）などからなる。メールキーは、メール機能を起動し、メールメニューを表示するためのものである。アドレスキーは、送信先のメールアドレスを選択する際に用いるアドレス帳を開くためのものである。
【００３５】
画像メモリ２３は、撮像部１８で撮像され、後述する画像処理プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００３６】
ドライバ２５は、表示部１３を駆動する。加入者情報記憶部２７は、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。報知デバイス１９２は、メール受信時に発音する報知スピーカ１９、及び振動動作するバイブレータ１９１を駆動させるためのドライバである。ＧＰＳモジュール１２は、測地衛星からのＬ１帯のＣ／Ａコードを受信して復調・解読し現在位置の緯度・経度を割り出すものであり、ＧＰＳモジュール１２により割り出された緯度・経度の情報は制御部２２に取り込まれる。
【００３７】
図３は、前記撮像部１８の詳細を示すブロック図である。撮像部１８は、光学レンズ１８１、この光学レンズ１８１により結像されるＣＣＤ等の撮像素子１８２と、撮像素子１８２を駆動するためのＴＧ１８３と、撮像素子１８２から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路１８４を有している。そして、被写体の像が光学レンズ１８１を介して撮像素子１８２上に結像され、撮像素子１８２は信号を出力する。この撮像素子１８２から出力された信号は、ユニット回路１８４にて、サンプリング、増幅、デジタル化され、制御部２２に送られて、この制御部２２内で輝度に変換され、輝度の積分やヒストグラム処理が行われる。
【００３８】
前記光学レンズ１８１は、ＡＦモータ等を備えるレンズ駆動回路１８５に保持されており、レンズ駆動回路１８５が制御部２２の制御により駆動されることにより光軸方向に移動し、撮像素子１８２に結像される被写体像のフォーカスを調整する。また、ＡＥ制御時には、撮像素子１８２が、制御部２２から送られるシャッターパルスに基づきＴＧ１８３によって駆動され、その電荷蓄積時間を制御される。これにより電子シャッターが実現される。
【００３９】
制御部２２は各種の信号処理、及び画像処理機能を備えたものであり、ユニット回路１８４を経てデジタル信号に変換された撮像信号からビデオ信号を生成し、撮像素子１８２によって撮像した被写体像をスルー画像として前記表示部１３に表示させる。また、撮像時には、撮像信号を圧縮してＪＰＥＧフォーマットの画像ファイルを生成し、それを前記画像メモリ２３に記憶させ、再生時には圧縮した画像ファイルを伸張して表示部１３に表示させる。
【００４０】
図４は、ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、画像処理プログラム領域２４２及びその他のプログラム領域２４３からなる。
【００４１】
メールソフトウェアプログラム領域２４１は、アプリケーション本体を格納すする。画像処理プログラム領域２４２は、撮像部１８で撮像され、デジタル符号化された画像を、ＪＰＥＧ方式やＰＮＧ、ＧＩＦ方式で圧縮処理するための画像処理プログラムを格納する。その他プログラム領域は、ダウンロードしたプログラムを含む上記以外のアプリケーションプログラムなどを格納する。
【００４２】
図５は、ＲＡＭ２９のメモリエリアの構成を示す概念図である。ＲＡＭ２９は、アドレス帳データ格納領域２９１、メールデータ格納領域２９２、添付ファイル格納領域２９３、アルバムデータ記憶領域２９４、及びその他・ワークメモリ２９５からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。アルバムデータ記憶領域２９４は、後述するアルバムデータ作成／保存操作により指定された枚数の画像ファイルのみを格納する。その他・ワークメモリ２９５は、その他のワークメモリとして各種データ格納する。
【００４３】
次に、以上の構成に係る本実施形態の動作について説明する。本実施の形態においては、２箇所のチェックポイント（後述するように「○○タワー」と「××ビル」）が設定された市中のオリエンテーリングが前記メールサーバ３３を有する主催者によって開催されており、デジタルカメラ１のユーザがこのオリエンテーリングに参加した場合について述べる。すなわち、デジタルカメラ１のユーザは、図６のフローチャートに示すように、先ずデジタルカメラ１の電源をオンにする（ステップＵ１０１）。すると、制御部２２は、ＲＯＭ２４に格納されているプログラムに基づき動作を開始して、電源オンを検知する（ステップＣ１０１）。さらに、ＯＮ処理を実行して、アルバムデータ記憶領域２９４に記憶されているデータを消去する等のイニシャライズ処理を行う（ステップＣ１０２）。
【００４４】
また、ユーザがキー操作部１４での操作によりアルバム作成保存操作を行うと（ステップＵ１０２）、制御部２２はこれを検知する（ステップＣ１０３）。そして、このユーザによるキー操作部１４での操作に応じて、アルバムデータをアルバムデータ記憶領域２９４に出力して、今回のオリエンテーリングでアルバムデータ記憶領域２９４に格納すべき画像ファイル分の画像ファイル格納領域をアルバムデータ記憶領域２９４に形成する。したがって、今回のオリエンテーリングは、「○○タワー」と「××ビル」の２箇所をチェックポイントとするものであるので、図７（Ａ）に示すように、アルバムデータ記憶領域２９４には「○○タワー」用の第１画像ファイル格納領域Ｆ１と、「××ビル」用の第２画像ファイル格納領域Ｆ２とが形成されることとなる。
【００４５】
そして、アルバム作成保存操作が終了したならば、ユーザはデジタルカメラ１を携帯して、第１チェックポイントである「○○タワー」が存在する場所に向かう。ユーザが第１チェックポイントである「○○タワー」に到達して、「○○タワー」の撮影を行うべくシャッターキーを押下して、撮影実行操作を行うと（ステップＵ１０３）、制御部２２はこれを検知して（ステップＣ１０５）、撮影処理を実行する（ステップＣ１０６）。すなわち、ユニット回路１８４を経てデジタル信号に変換された撮影信号を圧縮してＪＰＥＧフォーマットの画像ファイルを生成し、この画像ファイルを画像メモリ２３に格納する。
【００４６】
次に、ユーザがキー操作部１４での操作によりアルバム画像張り込み操作を行うと（ステップＵ１０４）、制御部２２はこれを検知して（ステップＣ７）、が画像にアルバム位置データを付加して追加して、アルバムデータ記憶領域２９４に出力する（ステップＣ１０８）。すなわち、１番目に撮像した画像ファイルのアルバムデータ記憶領域２９４における記憶領域は、第１画像ファイル格納領域Ｆ１であることから、アルバム位置データとして「第１画像ファイル格納領域Ｆ１」を追加して、前記画像ファイルをアルバムデータ記憶領域２９４に出力し、アルバムデータ記憶領域２９４の第１画像ファイル格納領域Ｆ１に前記画像ファイルを記憶させる。
【００４７】
引き続き、アルバムが完成したか否かを判断するが（ステップＣ１０９）、本実施の形態においては、第１画像ファイル格納領域Ｆ１と第２画像ファイル格納領域Ｆ２とに画像ファイルが格納されることによりアルバムが完成することから、この時点においてはアルバムは完成していない。したがって、ステップＣ１０９からステップＣ１０５に戻って、該ステップＣ１０５からの処理を繰り返す。
【００４８】
その間ユーザは、第１チェックポイントである「○○タワー」から、第２チェックポイントである「××ビル」に移動する。そして、図７（Ｂ）に示すように、××ビルＺの撮影を行うべくシャッターキーを押下して、撮影実行操作を行うと（ステップＵ１０３）、制御部２２は前述したステップＣ１０５〜Ｃ１０９の処理を行う。したがって、ステップＣ１０９で、アルバムが完成したか否かを判断するが（ステップＣ１０９）、この時点においては図７（Ｂ）に示すように、アルバムデータ記憶領域２９４の第１画像ファイル格納領域Ｆ１と第２画像ファイル格納領域Ｆ２とに各々画像ファイルが格納されている。
【００４９】
したがって、ステップＣ１０９の判断がＹＥＳとなって、アルバムデータを所定のアドレス（メールサーバ３３のアドレス）に送信する（ステップＣ１１０）。これにより、図７（Ｃ）に示すように、デジタルカメラ１から、このオリエンテーリングの主催者が有するメールサーバ３３に、第１画像ファイル格納領域Ｆ１と第２画像ファイル格納領域Ｆ２とに各々画像ファイルが格納されたデータであるアルバムデータＡＤが送信されることとなる。
【００５０】
よって、主催者がアルバムデータＡＤを画面表示させ、あるいはプリントアウトして、「○○タワー」と「××ビル」の画像を確認することにより、当該ユーザがオリエンテーリングを適正に完走したか否かをチェックすることができる。
【００５１】
（第２の実施の形態）
【００５２】
図８〜１０は、本発明の第２の実施の形態を示すものである。図８は、本実施の形態における前記メールサーバ３３の概略構成を示すブロック図である。このメールサーバ３３は、制御部３３１、ＲＯＭ３３２、ＲＡＭ３３３、通信部３３４、ランドマーク記憶部３３５がシステムバス３３６により相互に接続されたシステムである。制御部３３１は、ＲＯＭ３３２に記憶され後述するフローチャートにより示されるプログラムに基づき動作し、各部を制御するものである。また、ＲＡＭ３３３は、制御部２０１のワークエリアとして使用される。ランドマーク記憶部３３５には、チェックポイントとなるランドマークの画像データ、又は当該ランドマークの特徴を示す画像データであるランドマークが、複数の各チェックポイント毎に記憶されている。
なお、図１０に示すように、複数のランドマークのうちいずれかのランドマークＬとなる建築物に前記メールサーバ３３が備え付けられている。
【００５３】
本実施の形態においても、複数の箇所のチェックポイント（＝ランドマーク）が設定された市中のオリエンテーリングが前記メールサーバ３３を有する主催者によって開催されており、デジタルカメラ１のユーザがこのオリエンテーリングに参加した場合について述べる。すなわち、デジタルカメラ１のユーザは、図９のフローチャートに示すように、先ずデジタルカメラ１の電源をオンにする（ステップＵ２０１）。すると、デジタルカメラ１の制御部２２は、ＲＯＭ２４に格納されているプログラムに基づき動作を開始して、電源オンを検知する（ステップＣ２０１）。そして、設定モード開始処理を行って、次のキー入力があるまで待機する（ステップＣ２０２）。
【００５４】
ユーザがチェックポイントに到達し、図１０（Ａ）に示すように、そこにあるランドマークを撮影すべく、シャッターキーを押下して、撮影実行操作を行うと（ステップＵ２０２）、制御部２２はこれを検知して（ステップＣ２０３）、撮影処理を実行するとともに、撮影したことを示す信号をメールサーバ３３に送信する（ステップＣ２０４）。すなわち、ユニット回路１８４を経てデジタル信号に変換された撮影信号を圧縮してＪＰＥＧフォーマットの画像ファイルを生成して、この画像ファイルを画像メモリ２３に格納し、かつ、撮影したことを示す信号をメールサーバ３３に送信する。
【００５５】
すると、メールサーバ３３は、撮影検知処理によりこの撮影したことを示す信号を検知して（ステップＳ２０１）、ランドマークＬの画像データ、又は当該ランドマークＬの特徴を示す画像データであるランドマークデータをデジタルカメラ１に送信する（ステップＳ２０２）。デジタルカメラ１は、ランドマーク認識処理を行って、前記ランドマークデータを受信するとともに、画像メモリ２３に記憶させた画像ファイルに基づく画像と、メールサーバ３３から送信されたきたランドマークデータに基づく画像とをマッチングする。そして、画像メモリ２３に記憶させた画像ファイルに基づく画像のランドマークと、ランドマークデータに基づく画像のランドマークとに一致性があるか否か（あるいは両者の特徴部分に一致性があるか否か）を判断する（ステップＣ２０５）。一致性があった場合には、前述のように加入者情報記憶部２７に記憶されているＩＤデータをメールサーバ３３に送信する（ステップＣ２０６）。
【００５６】
すると、メールサーバ３３は、このＩＤデータを検知し（ステップＳ２０３）、ＲＡＭ３３３に、同一ＩＤ毎にＩＤの受信回数（つまりは同一ＩＤカメラによる撮影回数）を記録するとともに、同一ＩＤカメラの当該チェックポイント（ランドマーク）の通過順位を算出する（ステップＳ２０４）。つまり、ＲＡＭ３３３に同一ＩＤが送信されてきた回数を記録するとともに、その回数（回数が同一である場合には、当該回数により早く到達した者が先順位）により通過順位を決定する。さらに、この決定した通過回数データと通過回数データとを、ＩＤにより特定されるデジタルカメラ１に送信する（ステップＳ２０５）。
【００５７】
ＩＤで特定されたデジタルカメラ１は、これら通過回数データと通過順位データと通過とを受信し（ステップＣ２０６）、この受信した通過回数データと通過順位データと通過とを、表示部１３の表示バッファに出力する（ステップＣ２０７）。これにより、図１０（Ｂ）に示すように、デジタルカメラ１の表示部１３に、例えば「チェックポイント通過回数；５」「通過順位：第４位」が表示されることとなる。
【００５８】
したがって、以上のステップＣ２０４〜Ｃ２０７の処理、及びステップＳ２０１〜Ｓ２０５の処理が繰り返し実行されることにより、オリエンテーリングの参加者であるユーザのデジタルカメラ１に通過回数と通過順位とを表示させて、これをユーザに認識させつつ、競技の進行を行うことができる。
【００５９】
（第３の実施の形態）
図１１及び図１２は、本発明の第３の実施の形態を示すものであり、図１２に示すように、デジタルカメラ１は旅行会社Ｔが家屋Ｈに在住するユーザに貸し出したレンタルカメラである。ユーザはこの旅行会社Ｔから貸し出されたデジタルカメラ１を携帯して旅行に出かけ、図１１のフローチャートに示すように、電源をオンにする（ステップＵ３０１）。すると、制御部２２は、ＲＯＭ２４に格納されているプログラムに基づき動作を開始して、電源オンを検知する（ステップＣ３０１）。そして、設定モード開始処理を行って、次のキー入力があるまで待機する（ステップＣ３０２）。
【００６０】
旅行途中で道に迷ったユーザが、現在位置を撮像すべくシャッターキーを押下して、撮影実行操作を行うと（ステップＵ３０２）、制御部２２はこれを検知して（ステップＣ３０３）、撮影処理を実行する（ステップＣ３０４）。すなわち、ユニット回路１８４を経てデジタル信号に変換された撮影信号を圧縮してＪＰＥＧフォーマットの画像ファイルを生成し、この画像ファイルを画像メモリ２３に格納する。
【００６１】
次に、ユーザがキー操作部１４に設けられている道案内ボタンを操作すると（ステップＵ３０３）、制御部２２はこれを検知し、ＩＤデータと前記ステップＣ３０４で生成された画像ファイルとを旅行社Ｔ内のメールサーバ３３に送信する。メールサーバ３３は、これを受信して（ステップＳ３０１）、予めＲＡＭ３３３に格納されているＩＤデータと一致するか否かを判別する（ステップＳ３０２）。この判別の結果、ＩＤデータが一致した場合には、道案内情報をデジタルカメラ１に送信する（ステップＳ３０３）。デジタルカメラ１は、この送信された道案内データを受信し（ステップＣ３０７）、表示部１３の表示バッファに出力する（ステップＣ３０８）。これにより、図１２に示すように、デジタルカメラ１の表示部１３に、例えば「突き当たりを右折します」が道案内表示がなされることとなる。
【００６２】
（第４の実施の形態）
図１３〜１５は、本発明の第４の実施の形態を示すものである。すなわち、前述した図１３のフローチャートにおけるステップＣ３０４の撮影処理で、図１５（Ａ）に示すように、ランドマークＬを撮影した場合には、ステップＣ３０６でランドマークＬを撮影した画像ファイルとＩＤデータとがデジタルカメラ１からメールサーバ３３に送信されることとなる。すると、ステップＣ３０３では、第２の実施の形態とは異なり、図１５（Ｂ）に示すように、デジタルカメラから送信されたランドマークＬの画像ファイルに広告データを付加した広告／ランドマークデータＬＤを、デジタルカメラ１に送信する。
【００６３】
すると、デジタルカメラ１は、図１４のフローチャートに示すように、この広告／ランドマークデータＬＤを受信して（ステップＣ４０１）、着脱自在な外部メディアである画像メモリ２３に記憶させる（ステップＣ４０２）。しかる後ユーザは、図１５（Ｃ）に示すように、画像メモリ２３をデジタルカメラ１から取り外し、これを印刷業者に持参して印刷を依頼する。
【００６４】
印刷業者が所有するプリンタは、図１４に示すフローチャートに従って処理を実行する。すなわち、画像メモリ２３内のメディアデータを出力し（ステップＰ４０１）、広告／ランドマークデータが記憶されているか否かを判断する（ステップＰ４０２）。広告／ランドマークデータが記憶されていない場合には、通常の印刷処理を実行する（ステップＰ４０３）。広告／ランドマークデータが記憶されている場合には、両面印刷を設定して（ステップＰ４０４）、写真印刷を実行する（ステップ４０５）。そして、表面にランドマークを印刷するとともに、裏面に広告を印刷する。これにより、図１５（Ｄ）に示すように、表面５０ａにランドマークＬが印刷され、かつ裏面５０ｂに広告Ｋが印刷された写真５０が完成することとなる。
【００６５】
なお、各実施の形態においてはデジタルカメラに本発明を適用した場合を示したが、カメラ付き携帯電話やカメラ付きＰＤＡに本発明を適用するようにしてもよい。
【００６６】
【発明の効果】
【００６７】
以上説明したように請求項１及び８記載の発明によれば、ユーザが携帯機器を携帯して、予め指定された複数の地点を経由して各地点で撮像を行った所定枚数の画像からなるアルバムを作成する場合、記憶手段に記憶された画像データがアルバムを完成するための所定枚数となった時点で、アルバムを構成する画像データを送信することができる。よって、オリエンテーリングのように、山野等に設けた指定地点を発見・経由し、短時間に目的地に着くことを競うゲームにおいて、前記アルバムを構成する画像データが送信されることにより、指定地点を通過したことを証明することができる。したがって、オリエンテーリングのように、指定地点を発見・経由するゲームにこの携帯機器を用いることができ、これにより、撮像及びデータ送受信機能を有する携帯機器の興趣性を向上させることができる。
【００６８】
また、請求項３及び９記載の発明によれば、ユーザは携帯機器を携帯して予め定められた特定の位置に存在する被写体まで実際に行き、該被写体を撮像した場合に、ＩＤデータの送信が可能となる。そして、ＩＤデータ受信する受信者は、ＩＤデータが送信されてきたか否か及び送信されてきた回数により、被写体が存在する特定の位置にユーザが到達したか否かを知ることができる。
【００６９】
また、請求項１０記載の発明によれば、ユーザはこの携帯機器を携帯して予め定められた特定の位置に存在する被写体まで実際に行き、該被写体を撮像した場合に、ＩＤデータの送信が可能となる。そして、送信されたＩＤデータはサーバ装置により受信され、サーバー装置からはＩＤデータの送信に応答して応答データが送信され、この応答データが携帯機器により受信されて表示される。したがって、携帯機器とサーバ装置とにより、オリエンテーリングのように、山野等に設けた指定地点を発見・経由し、短時間に目的地に着くことを競うゲームシステムを構築して、携帯機器側で前記特定の地点を通過した回数や順位を表示させることができる。
【００７０】
また、請求項１１及び１３記載の発明によれば、前記データ送受信システム（ゲームシステム）におけるサーバ装置として機能することができ、携帯機器から送信されてきたＩＤデータに応答して通過回数データを送信することができる。
【００７１】
また、請求項１２及び１４記載の発明によれば、前記データ送受信システム（ゲームシステム）におけるサーバ装置として機能することができ、携帯機器から送信されてきたＩＤデータに応答して順位データを送信することができる。
【図面の簡単な説明】
【図１】本発明の一実施の形態に係るデータ送受信システムの構成を示すブロック図である。
【図２】デジタルカメラの構成を示すブロック図である。
【図３】撮像部の詳細を示すブロック図である、
【図４】第１の実施の形態におけるＲＯＭのメモリエリアの構成を示す概念図である。
【図５】第１の実施の形態におけるＲＡＭのメモリエリアの構成を示す概念図である。
【図６】第１の実施の形態おける処理手順を示すフローチャートである。
【図７】同実施の形態の動作説明図である。
【図８】本発明の第２の実施の形態におけるメールサーバの構成を示すブロック図である。
【図９】同実施の形態おける処理手順を示すフローチャートである。
【図１０】同実施の形態の動作説明図である。
【図１１】本発明の第３の実施の形態おける処理手順を示すフローチャートである。
【図１２】同実施の形態の動作説明図である。
【図１３】本発明の第４の実施の形態おけるデジタルカメラの処理手順の一部を示すフローチャートである。
【図１４】同実施の形態おける印刷機の処理手順の一部を示すフローチャートである。
【図１５】本発明の第４の実施の形態の動作説明図である。
【符号の説明】
１    デジタルカメラ
２    無線基地局
３    通信サービス事業者
４    通信回線網
１１    アンテナ
１２    ＧＰＳモジュール
１３    表示部
１４    キー操作部
１８    撮像部
２０    無線送受信部
２１    無線信号処理部
２２    制御部
２３    画像メモリ
２４    ＲＯＭ
２５    ドライバ
２９    ＲＡＭ
３３    メールサーバ
１８１    光学レンズ
１８２    撮像素子
１８３    ＴＧ
１８４    ユニット回路
１８５    レンズ駆動回路
２４１    メールソフトウェアプログラム領域
２４２    画像処理プログラム領域
２９２    メールデータ格納領域
Ｌ    ランドマーク
Ｍ    メール
【図１】
2005026768.tif 000003
【図２】
2005026768.tif 000004
【図３】
2005026768.tif 000005
【図４】
2005026768.tif 000006
【図５】
2005026768.tif 000007
【図６】
2005026768.tif 000008
【図７】
2005026768.tif 000009
【図８】
2005026768.tif 000010
【図９】
2005026768.tif 000011
【図１０】
2005026768.tif 000012
【図１１】
2005026768.tif 000013
【図１２】
2005026768.tif 000014
【図１３】
2005026768.tif 000015
【図１４】
2005026768.tif 000016
【図１５】
2005026768.tif 000017